(57)【要約】【課題】  特殊景品の価値と等価の交換額と操作者によって追加入金された金額を加算した金額に相当する貨幣を払い出す景品交換装置および方法を提供する。【解決手段】  特殊景品を景品受入／返却口２０７より受け入れ、受け入れた特殊景品の価値と等価の交換額を交換額算出手段により算出し、算出された交換額に対する追加入金を紙幣入出金口２０１と硬貨入出金口２０２より受け入れ、算出された交換額と紙幣入出金口２０１と硬貨入出金口２０２より受け入れた追加入金を加算した金額に相当する現金を紙幣入出金口２０１と硬貨入出金口２０２より払い出す。【選択図】  図１
2006280704.tif 000002
【特許請求の範囲】
【請求項１】
遊技機での遊技により遊技客が獲得した遊技媒体数に応じて交換される特殊景品を受け入れ、該特殊景品の価値と等価の現金を払い出す景品交換装置において、
受け入れた特殊景品の価値と等価の交換額を算出する交換額算出手段と、
前記交換額算出手段により算出された交換額に対する追加入金を受け入れ、該追加入金額と前記交換額を加算した金額に相当する現金を払い出す現金払出手段と
を具備することを特徴とする景品交換装置。
【請求項２】
前記交換額算出手段により算出された交換額に基づき、払い出す貨幣数が最小で済む追加入金額を算出する追加入金額算出手段
を具備することを特徴とする請求項１記載の景品交換装置。
【請求項３】
前記交換額算出手段により算出された交換額に、交換可能な最小単位の貨幣金額に相当する端数が含まれる場合、前記端数に相当する貨幣を払い出さずに済む追加入金額を算出する追加入金額算出手段
を具備することを特徴とする請求項１記載の景品交換装置。
【請求項４】
前記追加入金額算出手段により算出された前記追加入金額に前記交換額を加算した払出金額を算出する払出金額算出手段と、
前記追加入金額を受け入れることにより前記払出金額を払い出す旨と、前記払出金額を払い出す際の貨幣の種類及び数とを報知する報知手段と
を具備することを特徴とする請求項２または３に記載の景品交換装置。
【請求項５】
装置の操作者が、追加入金を行うか否かを選択することができる追加入金選択手段
を具備し、
前記現金払出手段は、
前記追加入金選択手段により追加入金を行なうことが選択された場合は、追加入金を受け入れて該追加入金額と前記交換額の加算金額に相当する現金の払い出しを行い、
前記追加入金を行なわないことが選択された場合は、追加入金の受け入れを禁止し、前記交換額に相当する現金の払い出しを行なう
ことを特徴とする請求項２または３に記載の景品交換装置。
【請求項６】
装置の操作者が、追加入金を行うか否かを選択することができる追加入金選択手段
を具備し、
前記現金払出手段は、
前記追加入金選択手段により追加入金を行なうことが選択されて追加入金を受け入れた場合、若しくは、前記追加入金選択手段により追加入金を行うことが選択されずに追加入金を受け入れた場合に、該追加入金額と前記交換額の加算金額に相当する払い出しを行う
ことを特徴とする請求項２または３に記載の景品交換装置。
【請求項７】
追加入金された貨幣を貨幣収容払出部の当該貨幣の金種に対応する収容部に収容し、現金払い出し時、前記貨幣収容払出部の各金種に対応する収容部から払出金額分の各貨幣を払い出すように各貨幣をリサイクル搬送する搬送手段
を具備することを特徴とする請求項１記載の景品交換装置。
【請求項８】
遊技機での遊技により遊技客が獲得した遊技媒体数に応じて交換される特殊景品を受け入れ、該特殊景品の価値と等価の現金を払い出す景品交換方法において、
受け入れた特殊景品の価値と等価の交換額を交換額算出手段により算出し、
前記交換額算出手段により算出された交換額に基づき、払い出す貨幣数が最小で済む追加入金額を追加入金算出手段により算出し、
前記追加入金額に相当する追加入金を受け入れる旨を追加入金受入報知手段により報知し、
前記追加入金受入報知後に追加入金を受け入れ、
該追加入金額と前記交換額を加算した金額に相当する現金を現金払出手段により払い出す
ことを特徴とする景品交換方法。
【発明の詳細な説明】
【技術分野】
【０００１】
本発明は、遊技機での遊技により遊技客が獲得した遊技媒体数に応じて交換される特殊景品を受け入れ、該特殊景品の価値と等価の現金を払い出す景品交換装置および方法に関し、特に、交換する特殊景品の価値と等価の交換額と操作者によって追加入金された金額を加算した金額に相当する貨幣を払い出す景品交換装置および方法に関する。
【背景技術】
【０００２】
従来、遊技客がパチンコ、スロットマシン等の遊技機での遊技により遊技媒体を獲得すると、遊技客は獲得した遊技媒体の数に応じて遊技場内のカウンターにおいて特殊景品等を受け取り、受け取った特殊景品等を近くの景品交換所に持ち込み、当該景品交換所で該特殊景品を現金に交換することができる。
【０００３】
その際、遊技客は、獲得した遊技媒体の数に応じて、大、中、小の特殊景品を複数個組み合わせて受け取り、景品交換所において、複数個の大、中、小の特殊景品がそれぞれの交換率に応じて現金に交換される。
【０００４】
また、景品交換所では、係員操作で、組み合わされた複数個の大、中、小の特殊景品を景品交換装置に投入して、当該特殊景品の価値と等価の交換額を算出する景品交換装置が存在する。
【０００５】
特許文献１においては、景品として遊技客に渡された景品カードを、遊技客から買い取り、自動的に現金を支払うことができる景品カード自動買取機が提供されている。
【０００６】
また、特許文献２には、複数の景品読取装置と一つないしは複数の現金払出機についての景品交換処理とデータの管理を、一つの管理装置で行うことが出来るようにし、低コストと効率の向上を実現した景品交換管理システムが提案されている。
【特許文献１】登録実用新案第３０２９８８７号公報
【特許文献２】特願２００４−６２４８１号公報
【発明の開示】
【発明が解決しようとする課題】
【０００７】
しかし、景品交換処理において、大、中、小の特殊景品を複数個組み合わせた特殊景品の価値と等価の交換額は、１万円や５千円のように切りのいい金額になることは少なく、９，５００円や１８，５００円のように端数が存在する金額となるケースが多い。
【０００８】
このように、払い出す金額が端数が存在する金額となった場合には、切りのいい金額となった場合より、払い出す貨幣の数が多くなっていた。
【０００９】
すると、貨幣を払い出す側では、端数が存在する金額を払い出すケースに対応する為に、払い出す貨幣の数を多く準備しておく必要があった。
【００１０】
そして、景品交換装置においてこのような準備金を多く備えるためには、準備金を蓄えておく収納部を大きくする必要が生じた。
【００１１】
また、貨幣を受け取る遊技客側においては、受け取った枚数の多い貨幣を収納する為に、札入れがかさばり、利便性が悪かった。
【００１２】
そこで、この発明は、受け入れた特殊景品の価値と等価の交換額と操作者によって追加入金された金額を加算した金額に相当する現金を払い出すようにして、特殊景品の価値と等価の交換額に相当する現金だけを払い出した場合に比べて、払出貨幣の数を減らすことができる景品交換装置および方法を提供することを目的とする。
【課題を解決するための手段】
【００１３】
上記目的を達成する為、請求項１の発明は、遊技機での遊技により遊技客が獲得した遊技媒体数に応じて交換される特殊景品を受け入れ、該特殊景品の価値と等価の現金を払い出す景品交換装置において、受け入れた特殊景品の価値と等価の交換額を算出する交換額算出手段と、前記交換額算出手段により算出された交換額に対する追加入金を受け入れ、該追加入金額と前記交換額を加算した金額に相当する現金を払い出す現金払出手段とを具備することを特徴とする。
【００１４】
また、請求項２の発明は、請求項１の発明において、前記交換額算出手段により算出された交換額に基づき、払い出す貨幣数が最小で済む追加入金額を算出する追加入金額算出手段を具備することを特徴とする。
【００１５】
また、請求項３の発明は、請求項１の発明において、前記交換額算出手段により算出された交換額に、交換可能な最小単位の貨幣金額に相当する端数が含まれる場合、前記端数に相当する貨幣を払い出さずに済む追加入金額を算出する追加入金額算出手段を具備することを特徴とする。
【００１６】
また、請求項４の発明は、請求項２または３の発明において、前記追加入金額算出手段により算出された前記追加入金額に前記交換額を加算した払出金額を算出する払出金額算出手段と、前記追加入金額を受け入れることにより前記払出金額を払い出す旨と、前記払出金額を払い出す際の貨幣の種類及び数とを報知する報知手段とを具備することを特徴とする。
【００１７】
また、請求項５の発明は、請求項２または３の発明において、装置の操作者が、追加入金を行うか否かを選択することができる追加入金選択手段を具備し、前記現金払出手段は、前記追加入金選択手段により追加入金を行なうことが選択された場合は、追加入金を受け入れて該追加入金額と前記交換額の加算金額に相当する現金の払い出しを行い、前記追加入金を行なわないことが選択された場合は、追加入金の受け入れを禁止し、前記交換額に相当する現金の払い出しを行なうことを特徴とする。
【００１８】
また、請求項６の発明は、請求項２または３の発明において、装置の操作者が、追加入金を行うか否かを選択することができる追加入金選択手段を具備し、前記現金払出手段は、前記追加入金選択手段により追加入金を行うことが選択されない状態において、前記追加入金額算出手段により算出された追加入金額を受け入れると、該追加入金額と前記交換額の加算金額に相当する現金の払い出しを行うことを特徴とする。
【００１９】
また、請求項７の発明は、請求項１の発明において、追加入金された貨幣を貨幣収容払出部の当該貨幣の金種に対応する収容部に収容し、現金払い出し時、前記貨幣収容払出部の各金種に対応する収容部から払出金額分の各貨幣を払い出すように各貨幣をリサイクル搬送する搬送手段を具備することを特徴とする。
【００２０】
また、請求項８の発明は、遊技機での遊技により遊技客が獲得した遊技媒体数に応じて交換される特殊景品を受け入れ、該特殊景品の価値と等価の現金を払い出す景品交換方法において、受け入れた特殊景品の価値と等価の交換額を交換額算出手段により算出し、前記交換額算出手段により算出された交換額に基づき、払い出す貨幣数が最小で済む追加入金額を追加入金算出手段により算出し、前記追加入金額に相当する追加入金を受け入れる旨を追加入金受入報知手段により報知し、前記追加入金受入報知後に追加入金を受け入れ、該追加入金額と前記交換額を加算した金額に相当する現金を現金払出手段により払い出すことを特徴とする。
【発明の効果】
【００２１】
本発明の景品交換装置および方法によれば、受け入れた特殊景品の価値と等価の交換額を算出する交換額算出手段と、交換額算出手段により算出された交換額に対する追加入金を受け入れ、追加入金額と交換額を加算した金額に相当する現金を払い出す現金払出手段とを具備するように構成したので、受け入れた特殊景品の価値と等価の交換額と操作者によって追加入金された金額を加算した金額に相当する貨幣を払い出すことができ、受け入れた特殊景品の価値と等価の交換額に相当する貨幣だけを払い出した場合に比べて、払出貨幣の数を減らすことできる効果を奏する。
【００２２】
また、本発明の景品交換装置によれば、受け入れた特殊景品の価値と等価の交換額に基づき、払い出す貨幣数が最小で済む追加入金額を算出する追加入金額算出手段を具備するように構成したので、払い出す貨幣数を最小で済ませることができる追加入金額を考える手間を装置の操作者から省くことができる効果を奏する。
【００２３】
また、本発明の景品交換装置によれば、受け入れた特殊景品の価値と等価の交換額に基づき、交換可能な最小単位の貨幣金額に相当する端数が含まれる場合、端数に相当する貨幣を払い出さずに済む追加入金額を算出する追加入金額算出手段を具備するように構成したので、端数に相当する貨幣を払い出さずに済む追加入金額を考える手間を装置の操作者から省くことができる効果を奏する。
【００２４】
また、本発明の景品交換装置によれば、受け入れた特殊景品の価値と等価の交換額に基づいて、払い出す貨幣数が最小で済む、または、交換可能な最小単位の貨幣金額に相当する端数が含まれる場合に端数に相当する貨幣を払い出さずに済むことができる追加入金額を算出して、さらに、算出された追加入金額に交換額を加算した払出金額を算出する払出金額算出手段と、追加入金額を受け入れることにより払出金額を払い出す旨と払出金額を払い出す際の貨幣の種類及び数とを報知する報知手段を具備したので、装置の操作者が、事前に払出貨幣の種類及び数を確認することができる効果を奏する。
【００２５】
また、本発明の景品交換装置によれば、装置の操作者が追加入金を行なうか否かを選択することができる追加入金選択手段を具備し、追加入金を行なうことが選択された場合は、追加入金を受け入れて追加入金の金額と受け入れた特殊景品の価値と等価の交換額の加算金額に相当する現金の払い出しを行い、追加入金を行なわないことが選択された場合は、追加入金の受け入れを禁止し、受け入れた特殊景品の価値と等価の交換額に相当する現金の払い出しを行うように構成したので、追加入金をするかどうかは装置の使用者により判断でき、小銭を欲している使用者にとっても都合がよく、利便性を高めることができる効果を奏する。
【００２６】
また、本発明の景品交換装置によれば、追加入金された貨幣を貨幣収納払出部の貨幣の金種に対する収納部に収納し、現金払い出し時において、貨幣収納払出部の各金種に対する収納部から払出金額分の各貨幣を払い出すように各貨幣をリサイクル搬送する搬送手段を具備したので、ホール内の資金運用をスムーズに行うことができる効果を奏する。
【発明を実施するための最良の形態】
【００２７】
以下、本発明に係わる景品交換装置および方法の実施例を添付図面を参照して詳細に説明する。
【００２８】
図１は、本発明を適用した景品交換装置の外観を示す構成図である。
【００２９】
景品交換装置１００には、特殊景品を受け入れる又は識別不能、取引中止された場合に景品を返却する景品受入／返却口２０７が装置の前面に設置され、硬貨の入出金を行う硬貨入出金口２０２と紙幣の入出金を行う紙幣入出金口２０１と交換に伴う各種情報が表示されタッチパネル方式で交換に伴う操作が行える表示操作部２０９が景品交換装置１００の卓上部分に設置されている。
【００３０】
景品交換装置１００の卓上部分に設置されている硬貨入出金口２０２、紙幣入出金口２０１、表示操作部２０９の各構成部は、特殊景品を交換する遊技客もしくは店員である操作者が操作しやすい位置に設置されているのであって、装置の卓上部分以外の位置で卓上部分より操作しやすい位置があればもちろんそちらに設置してかまわない。
【００３１】
また、本実施例の説明においては、表示機能と操作機能を有する構造部としてタッチパネル方式の表示操作部２０９を挙げて説明を行っているが、表示機能と操作機能を有する構造部をそれぞれ分けて、表示部と操作部をそれぞれ別に構成して景品交換装置を製作してもよい。
【００３２】
次に、本発明を適用した景品交換装置１００を構成している各構成部について図２を参照して説明する。
【００３３】
図２は、本発明を適用した景品交換装置１００の各構成部を示したブロック図である。  
図２のブロック図に示すように、景品交換装置１００は、操作者に対する紙幣の入出金を行う紙幣入出金口２０１、操作者に対する硬貨の入出金を行う硬貨入出金口２０２、操作者より追加入金された真なる紙幣を、払い出す為のリサイクル紙幣として蓄える紙幣収納払出部２０３、操作者より追加入金された真なる硬貨を、払い出す為のリサイクル硬貨として蓄える硬貨収納払出部２０４、操作者より追加入金された紙幣の真偽を判断し計数を行う紙幣識別部２０５、操作者より追加入金された硬貨の真偽を判断し計数を行う硬貨識別部２０６、操作者より特殊景品を受け入れる景品受入／返却口２０７、受け入れた特殊景品より景品データを読み取る景品読取部２０８、タッチパネル式であって特殊景品の価値と等価の交換額や追加入金された金額や払出金額等を表示して交換処理に伴う操作を行うことが出来る表示操作部２０９、景品読取部２０８で読み取ったデータを元に遊技システム全体を制御統括するターミナル・コントローラに問い合わせを行う通信Ｉ／Ｆ部２１０、景品交換装置１００に電源の供給を行う電源部２１１、払い出す貨幣の数を最小にする為に操作者が追加入金する最小入金額等の算出を行う最小払出数算出部２１２、上述の各構成部と接続されており、上述の各構成部の制御を行う制御部２００を備えている。
【００３４】
次に、本発明を適用した景品交換装置１００が、特殊景品を受け入れて、現金が払い出されるまでに表示操作部２０９に表示される表示画面の例について図３を参照して説明する。
【００３５】
図３（ａ）は、操作者が特殊景品の組み合わせとして大（大景品）を３個、中（中景品）を２個を景品交換装置１００に投入した場合に、表示操作部２０９に表示される特殊景品受け入れ画面３０１の画面構成図である。
【００３６】
特殊景品受け入れ画面３０１には受け入れた特殊景品の価値と等価の交換額と、あといくら追加入金すれば少ない貨幣量で出金できるかの旨が示された追加入金メッセージ３０２と、操作者が追加入金を希望するときに押下されるはいボタン３０３と操作者が追加入金を希望しないときに押下されるいいえボタン３０４とが表示されている。
【００３７】
特殊景品受け入れ画面３０１で表示されているように、特殊景品の組み合わせが大（大景品）が３個、中（中景品）が２個の価値と等価の交換額は、制御部２００が図示しない記憶装置に記憶されている大、中、小の特殊景品毎の交換額が書かれたテーブルを参照して、大（大景品）が１個２，５００円、中（中景品）が１個１，０００円から計算し、９，５００円となる。
【００３８】
従来だと特殊景品の価値と等価の交換額９，５００円を、千円札９枚若しくは５千札１枚と千円札４枚と、５００円硬貨を１枚の組み合わせで払い出しを行っていたのであるが、本発明を適用した景品交換装置１００においては、最小払出数算出部２１２において、払い出す貨幣数が最小で済む追加入金額を算出し、算出された追加入金額５００円を、追加入金メッセージ３０２として、あと５００円を追加入金すれば１万円札を１枚で出金する旨を表示して、操作者に追加入金するかどうかの問い合わせを行っている。
【００３９】
操作者が特殊景品受け入れ画面３０１の問い合わせに応じず、いいえボタン３０４が押下されると、従来通り、千円札９枚若しくは５千円札１枚と千円札４枚と、５００円硬貨１枚の組み合わせで特殊景品の価値と等価の交換額９，５００円を払い出すことになるのであるが、操作者がこの問い合わせに応じてはいボタン３０３が押下されると、操作者に５００円を追加入金してもらい、払出金額を合計１万円として、１万円札１枚を払い出すことになる。
【００４０】
なお、特殊景品受け入れ画面３０１の問い合わせに対して、操作者によってはいボタン３０３が押下されずに５００円が追加入金された場合にでも、はいボタン３０３が押下されて追加入金された場合と同様の処理を行う。
【００４１】
なお、特殊景品受け入れ画面３０１の問い合わせに対して、操作者によっていいえボタン３０４が押下されなくても、一定時間何の操作もされなければ、いいえボタン３０４が押下されたものと判断して、いいえボタンが押下された場合と同様の処理を行うようにしてもよい。
【００４２】
図３（ｂ）は、特殊景品受け入れ画面３０１の追加入金するかどうかの問い合わせに対して、操作者によってはいボタン３０３が押下されて払い出しが行われる、払い出し画面３０５の画面構成図である。
【００４３】
払い出し画面３０５は先ほどの特殊景品受け入れ画面３０１において、操作者によってはいボタン３０３が押下されて、追加入金として５００円が追加入金された場合に表示操作部２０９に表示される払い出し画面である。
【００４４】
払い出し画面３０５には受け入れた特殊景品の価値と等価の交換額と、追加入金された金額と、特殊景品の価値と等価の交換額と追加入金額を加算した全合計金額と、払出貨幣の組み合わせと、操作者が表示されている払出貨幣の組み合わせを了承した場合に押下される確認ボタン３０６が表示されている。
【００４５】
払い出し画面３０５が表示されている状態で、操作者によって確認ボタン３０６が押下されて、払い出し画面３０５に表示された払出貨幣についての了承がなされると、払い出し画面３０５に表示されている払出貨幣である１万円札を１枚で出金する払い出しが、新たに出金画面が表示されて行われる。
【００４６】
図３（ｃ）には、表示される出金画面３０７の画面構成図を示す。
【００４７】
出金画面３０７には受け入れた特殊景品の価値と等価の交換額と、追加入金された金額と、特殊景品の価値と等価の交換額と追加入金額を加算した全合計金額と、出金中と書かれた文字と、払い出しが行われている払出貨幣の組み合わせが表示される。
【００４８】
上述した払い出し画面３０５においては、特殊景品受け入れ画面３０１が表示された状態から追加入金メッセージ３０２に表示された追加入金額である５００円の追加入金が行われた結果の払い出し画面を示したが、次に、追加入金メッセージ３０２に表示された追加入金額５００円と異なる金額が追加入金される例について説明する。
【００４９】
図４は、払い出し画面４０１の画面構成図である。
【００５０】
払い出し画面４０１は、特殊景品受け入れ画面３０１が表示された状態から、追加入金メッセージ３０２に表示された追加入金額である５００円と異なる金額である１，０００円が追加入金された場合の払い出し画面である。
【００５１】
払い出し画面４０１には受け入れた特殊景品の価値と等価の交換額と、追加入金された金額と、特殊景品の価値と等価の交換額と追加入金額を加算した全合計金額と、払出貨幣の組み合わせ４０２と、操作者が表示されている払出貨幣の組み合わせを了承した場合に押下される確認ボタン４０３が表示されている。
【００５２】
払い出し画面３０５では特殊景品の価値と等価の交換額が９，５００円に対して追加入金が５００円であったが、払い出し画面４０１に示すように１，０００円追加入金されて、払出金額が１０，５００円となった場合には、払出貨幣の組み合わせが１万円札が１枚と５００円硬貨が１枚となって払い出される。
【００５３】
１，０００円追加入金して１０，５００円払い出す場合にも、特殊景品の価値と等価の交換額９，５００円を払い出すよりは、貨幣の数が少なくなる。
【００５４】
払い出し画面４０１で示したように、追加入金された結果、特殊景品に相応する金額と追加入金された金額を加算した合計金額が、追加入金メッセージで示された払い出す貨幣の金額（追加入金メッセージ３０２では１０，０００円）にならなくても、画面上に、払出貨幣の組み合わせ４０２のように特殊景品に相応する金額と追加入金の合計金額を払いだす払出貨幣の組み合わせが表示され、当該払出貨幣に対して操作者が確認ボタンを押下して了承すれば、その時点で表示されている払出貨幣の組み合わせで貨幣が払い出される。
【００５５】
この機能によって、例えば、操作者が追加入金を行うように選択してメッセージで示された金額を追加入金しようとしても、操作者の手元に、指定された追加入金額である５００円を入金するための５００円硬貨がなくて５００円の入金をすることが出来ない場合に、手元にある千円札で１，０００円追加入金して、指定された追加入金額５００円を超えた１，０００円の追加入金を行った場合にも、特殊景品の価値と等価の交換額と追加入金された金額を加算した金額に相当する現金を、表示されている払出貨幣の組み合わせで払い出す。
【００５６】
次に、図３で示した特殊景品受け入れ画面３０１とは受け入れた特殊景品の組み合わせが異なる場合について、本発明を適用した景品交換装置１００が、特殊景品を受け入れ、現金が払い出されるまで、表示操作部２０９に表示される表示画面の例を図５を参照して説明する。
【００５７】
すなわち、図５（ａ）は、操作者が特殊景品の組み合わせとして大（大景品）を５個、中（中景品）を１個を景品交換装置１００に投入した場合に表示操作部２０９に表示される特殊景品受け入れ画面５０１の画面構成図である。
【００５８】
特殊景品受け入れ画面５０１には受け入れた特殊景品の価値と等価の交換額と、あといくら追加入金すれば少ない貨幣量で出金できるかの旨が示された追加入金メッセージ５０２と、操作者が追加入金を希望するときに押下されるはいボタン５０３と操作者が追加入金を希望しないときに押下されるいいえボタン５０４とが表示されている。
【００５９】
特殊景品受け入れ画面５０１で表示されているように、特殊景品の組み合わせが大（大景品）が５個、中（中景品）が１個の価値と等価の交換額は、制御部２００が図示しない記憶装置に記憶されている大、中、小の特殊景品毎の交換額が書かれたテーブルを参照して、大（大景品）が１個２，５００円、中（中景品）が１個１，０００円から計算し、１３，５００円となる。
【００６０】
従来だと特殊景品の価値と等価の交換額１３，５００円を、１万円札１枚と千円札３枚と５００円硬貨を１枚の組み合わせで払い出しを行っていたのであるが、本発明を適用した景品交換装置１００においては、最小払出数算出部２１２において、払い出す貨幣数が最小で済む追加入金額を算出し、算出された追加入金額１，５００円を、追加入金メッセージ５０２として、あと１，５００円を追加入金すれば１万円札を１枚と５千円札１枚とで出金する旨を表示して、操作者に追加入金するかどうかの問い合わせを行っている。
【００６１】
操作者が特殊景品受け入れ画面５０１の問い合わせに応じず、いいえボタン５０４が押下されると、従来通り１万円札１枚と千円札３枚と５００円硬貨１枚の組み合わせで特殊景品の価値と等価の交換額１３，５００円を払い出すことになるのである。
【００６２】
なお、いいえボタン５０４が押下されずに、一定時間何の操作もされなければ、いいえボタン５０４が押下されたものと判断するようにしてもよい。
【００６３】
操作者がこの問い合わせに応じてはいボタン５０３が押下されると、操作者に１，５００円を追加入金してもらい、払出金額を合計１万５千円として、１万円札１枚と５千円札１枚の組み合わせで払い出しを行うことになる。
【００６４】
なお、特殊景品受け入れ画面５０１の問い合わせに対して、操作者によってはいボタン５０３が押下されずに１５００円が追加入金された場合にでも、はいボタン５０３が押下されて追加入金された場合と同様の処理を行う。
【００６５】
図５（ｂ）は、特殊景品受け入れ画面５０１の追加入金するかどうかの問い合わせに対して、操作者によってはいボタン５０３が押下されて払い出しが行われる、払い出し画面５０５の画面構成図である。
【００６６】
払い出し画面５０５は先ほどの特殊景品受け入れ画面５０１において、操作者によってはいボタン５０３が押下されて、追加入金として１，５００円が追加入金された場合に表示操作部２０９に表示される払い出し画面である。
【００６７】
払い出し画面５０５には受け入れた特殊景品の価値と等価の交換額と、追加入金された金額と、特殊景品の価値と等価の交換額と追加入金額を加算した全合計金額と、払出貨幣の組み合わせと、操作者が表示されている払出貨幣の組み合わせを了承した場合に押下される確認ボタン５０６が表示されている。
【００６８】
この払い出し画面５０５が表示されている状態で、操作者によって確認ボタン５０６が押下されて、払い出し画面５０５に表示された払出貨幣についての了承がなされると、払い出し画面５０５に表示されている払出貨幣である１万円札１枚と５千円札１枚とで出金する払い出しが、新たに出金画面が表示されて行われる。
【００６９】
図５（ｃ）には、新たに表示される出金画面５０７の画面構成図を示す。
【００７０】
出金画面５０７には受け入れた特殊景品の価値と等価の交換額と、追加入金された金額と、特殊景品の価値と等価の交換額と追加入金額を加算した全合計金額と、出金中と書かれた文字と、払い出しが行われている払出貨幣の組み合わせが表示される。
【００７１】
出金中に、表示操作部２０９において出金画面５０７が表示される。
【００７２】
次に、本発明である景品交換装置および発明を適用した景品交換装置１００が、特殊景品を受け入れ、交換処理を行う処理フローについて、図６を参照して詳細に説明する。
【００７３】
図６は、景品交換装置１００が、特殊景品を受け入れ、交換処理を行う処理フローを説明したフローチャートである。
【００７４】
まず、景品交換装置１００は特殊景品を受け入れる待機状態となっている（ステップ６０１）。
【００７５】
そして、特殊景品を交換する遊技客もしくは店員である操作者が、特殊景品を景品受入／返却口２０７に投入すると、景品交換装置１００は特殊景品を景品受入／返却口２０７において受け入れ（ステップ６０２）、受け入れた特殊景品を景品読取部２０８に搬送する。
【００７６】
景品読取部２０８は搬送された特殊景品の景品データを読み取り（ステップ６０３）、受け入れた特殊景品の価値と等価の交換額や、特殊景品が発行された店舗データ、時間や、特殊景品が発行された時点で同時に発番される特殊景品に割り振られた独自の番号等を認識する。
【００７７】
特殊景品は、景品読取部２０８で読取られた後、一時、図示しない保留部で待機され、取引完了後は図示しない景品収納部へ搬送されるが、問題が発生して取引中止になった時は返却される。
【００７８】
景品読取部２０８によって認識されたデータを元にして、景品交換装置１００は通信Ｉ／Ｆ部２１０を通して図示しない遊技システム全体を制御統括するターミナル・コントローラに問い合わせを行い、当該特殊景品が正しいものかどうかを判別する（ステップ６０４）。
【００７９】
当該特殊景品が正しいものとして認識されると（ステップ６０４でＹＥＳ）、景品交換装置１００は、最小払出数算出部２１２において、特殊景品の価値と等価の交換額を計算し（ステップ６０５）、その交換額を元に払い出す貨幣の数を少なくする為の最小追加入金額を算出する（ステップ６０６）。
【００８０】
最小追加入金額が算出されると、表示操作部２０９において、受け入れた特殊景品の価値と等価の交換額と、算出された最小追加入金額が、上述において説明を行った特殊景品受け入れ画面３０１のように表示される（ステップ６０７）。
【００８１】
操作者は、表示操作部２０９において表示される特殊景品受け入れ画面（上述の例では、特殊景品受け入れ画面３０１、５０１）で追加入金メッセージ（上述の例では、追加入金メッセージ３０２、５０２）を見て、追加入金を行うか否かを判断する。
【００８２】
操作者が、表示操作部２０９上のタッチパネル式の画面上で、追加入金するかどうかの問い合わせに対して「はい」を意味するボタン（上述の例では、はいボタン３０３、５０３）を押下することによって選択が行われると（ステップ６０８でＹＥＳ）、操作者は任意の金額を景品交換装置１００に追加入金する（ステップ６０９）。
【００８３】
なお、操作者が、表示操作部２０９上のタッチパネル式の画面上でボタンを押下する選択をしないで追加入金を行った場合にでも（ステップ６０８で追加入金）、「はい」を意味するボタンが押下されて追加入金が行われた場合（ステップ６０８でＹＥＳとステップ６０９）と同様の処理を行う（ステップ６１０に進む）。
【００８４】
次に、表示操作部２０９上には、払い出し画面３０５、５０５で説明したように、受け入れた特殊景品の価値と等価の交換額と追加入金された金額が示され、さらに、払い出される合計金額と払出貨幣の組み合わせが表示される（ステップ６１０）。
【００８５】
払出貨幣の組み合わせは、最小払出数算出部２１２において、払出金額を払い出す貨幣の数を最小にする貨幣の組み合わせが計算される。
【００８６】
ステップ６１０で表示された払い出し画面での払出金額と払出貨幣の組み合わせに操作者が了承しないで、確認ボタンが押下されずに（ステップ６１１でＮＯ）、さらに追加入金が行われると（ステップ６１２でＹＥＳ）、再度、新たに追加入金された金額から払出金額が計算され、該払出金額を払い出す貨幣の数を最小にする貨幣の組み合わせが最小払出数算出部２１２で計算されて、当該払出金額と払出貨幣の組み合わせが表示操作部２０９の払い出し画面上に表示される（ステップ６１０）。
【００８７】
払出金額と払出貨幣の組み合わせが表示されている状態で操作者によって確認ボタンが押下されると（ステップ６１１でＹＥＳ）、出金が行われる（ステップ６１３）。
【００８８】
出金処理について以下に説明する。
【００８９】
景品交換装置１００の制御部２００が、払い出し画面上（上述の例では、払出画面３０５、５０５）で確認ボタンが操作者によって押下されたのを認識すると、その時点で表示されていた払出金額を、表示されていた払出貨幣の組み合わせで払い出しを行うように、紙幣収納払出部２０３と硬貨収納払出部２０４に指示する。
【００９０】
紙幣収納払出部２０３と硬貨収納払出部２０４は、当該払出金額を当該払出貨幣の組み合わせで、貨幣を紙幣入出金口２０１と硬貨入出金口２０２に搬送する。
【００９１】
搬送された貨幣は、紙幣については紙幣入出金口２０１において操作者に対して出金が行われ、硬貨については硬貨入出金口２０２において操作者に対して出金が行われる。
【００９２】
このようにして、操作者は、紙幣入出金口２０１と硬貨入出金口２０２において、払い出し画面上に表示された払出貨幣の組み合わせで入手することができる。
【００９３】
なお、ステップ６０８の、特殊景品の価値と等価の交換額と最小払出数算出部２１２で計算された追加入金額が表示された状態で（上述の例では、特殊景品受け入れ画面３０１、５０１の状態）操作者が「いいえ」を意味するボタン（上述の例では、いいえボタン３０４、５０４）を押下して追加入金を選択しなかった場合、若しくは一定時間何の操作もされない場合には（ステップ６０８でＮＯ）、直ちに画面上に表示されている特殊景品の価値と等価の交換額に相当する貨幣が、図７に示す出金画面７０１が表示操作部２０９に表示されて、出金される（ステップ６１３）。
【００９４】
図７には、出金画面７０１の画面構成図を示す。
【００９５】
出金画面７０１には、受け入れた特殊景品の価値と等価の交換額と、出金中を示す文字と、払出貨幣の組み合わせが表示される。
【００９６】
特殊景品の価値と等価の交換額が出金される処理について以下に説明する。
【００９７】
特殊景品の価値と等価の交換額を最小の払出貨幣で出金する貨幣の組み合わせが最小払出数算出部２１２で計算され、制御部２００が、計算された貨幣の組み合わせを出金するように紙幣収納払出部２０３と硬貨収納払出部２０４に指示する。
【００９８】
紙幣収納払出部２０３と硬貨収納払出部２０４は、指示された払出貨幣の組み合わせの貨幣を紙幣入出金口２０１と硬貨入出金口２０２に搬送し、紙幣入出金口２０１と硬貨入出金口２０２において、操作者に対して特殊景品の価値と等価の交換額だけの貨幣が出金される。
【００９９】
また、ステップ６０４で、特殊景品が正しくなかった場合には（ステップ６０４でＮＯ）、交換処理を直ちに終了する。
【０１００】
なお、本発明は、追加入金メッセージ（上述の例では、追加入金メッセージ３０２、５０２）に示される追加入金額を、上述のように払い出す貨幣数が最小で済む追加入金額にするのではなくて、特殊景品の価値と等価の交換額に交換可能な最小単位の貨幣金額に相当する端数が含まれる場合に、端数に相当する貨幣を払出さずに済む追加入金額にすることも可能とする。
【０１０１】
そして、その場合には、ステップ６０７において、端数に相当する貨幣を払出さずに済む追加入金額を表示する。
【０１０２】
例えば、特殊景品の価値と等価の交換額が１３，５００円のときに、追加入金メッセージ５０２で示したように「追加１，５００円で１万円札を１枚、５千円札１枚で出金します。」と表示するのではなくて、端数に相当する貨幣を払出さずに済む追加入金額である「追加５００円で１万円札１枚、千円札４枚で出金します。」と表示する。
【０１０３】
また、払い出す貨幣数が最小で済む追加入金額を表示する追加入金メッセージと、端数に相当する貨幣を払い出さずに済む追加入金額を表示する追加入金メッセージを両方同時に表示することも可能とする。
【０１０４】
つまり、「追加１，５００円で１万円札を１枚、５千円札１枚で出金します。」との追加入金メッセージと「追加５００円で１万円札１枚、千円札４枚で出金します。」との追加入金メッセージとを両方同時に表示することを可能とする。
【０１０５】
なお、紙幣収納払出部２０３と硬貨収納払出部２０４は、操作者より追加入金されて紙幣識別部２０５、硬貨識別部２０６で真と識別された紙幣、硬貨を、払い出すための貨幣として蓄えておき、払い出し時には蓄えておいた貨幣を使用する、リサイクル機能を持つ。
【産業上の利用可能性】
【０１０６】
この発明は、遊技機での遊技により遊技客が獲得した遊技媒体数に応じて交換される特殊景品を受け入れ、該特殊景品の価値と等価の現金を払い出す景品交換装置において利用可能である。
【０１０７】
この発明によれば、受け入れた特殊景品の価値と等価の交換額を算出した際、遊技客が景品交換装置に追加入金することで、特殊景品の価値と等価の交換額と追加入金された金額を加算した金額を景品交換装置が払い出す金額とし、特殊景品の価値と等価の交換額だけを払い出した場合に比べて、払出貨幣の数を少なくすることができる。
【図面の簡単な説明】
【０１０８】
【図１】本発明を適用した景品交換装置１００の外観を示す構成図。
【図２】本発明を適用した景品交換装置１００の各構成部を示したブロック図。
【図３】本発明を適用した景品交換装置１００が、大景品３個と中景品２個を受け入れ、現金が払い出されるまでの表示操作部２０９に表示される表示画面例の画面構成図。
【図４】特殊景品受け入れ画面３０１が表示された状態から、追加入金メッセージ３０２に表示された金額と異なる１，０００円が追加入金された場合に、表示操作部２０９に表示される払い出し画面４０１の画面構成図。
【図５】本発明を適用した景品交換装置１００が、大景品５個と中景品１個を受け入れ、現金が払い出されるまでの表示操作部２０９に表示される表示画面例の画面構成図。
【図６】景品交換装置１００が、特殊景品を受け入れ、交換処理を行う処理フローを説明したフローチャート。
【図７】本発明を適用した景品交換装置１００において、特殊景品の価値と等価の交換額だけが払いだされる場合に、表示操作部２０９に表示される払い出し画面７０１の画面構成図。
【符号の説明】
【０１０９】
１００    景品交換装置
２０１    紙幣入出金口
２０２    硬貨入出金口
２０７    景品受入口
２０９    表示操作部
３０１、５０１    特殊景品受け入れ画面
３０２、５０２    追加入金メッセージ
３０５、４０１、５０５    払い出し画面
３０７、５０７、７０１    出金画面
【図１】
2006280704.tif 000003
【図２】
2006280704.tif 000004
【図３】
2006280704.tif 000005
【図４】
2006280704.tif 000006
【図５】
2006280704.tif 000007
【図６】
2006280704.tif 000008
【図７】
2006280704.tif 000009